(57)【要約】【課題】音声を耳元に伝達するための装置を身体に装着せずに自声を耳元に伝達し、尚且つ装置を使用している間も両手を自由に使える。【解決手段】自声を受けるための第一の容器（１）の左右に、第一の容器（１）で受けた音声を耳元に伝達するための第二の容器（２）を、第一の容器（１）に対し軸着して成るものを、台座（３）に立設した支柱（４）に第一の容器（１）を固定し、第二の容器（２）を軸着部を基点に左右の耳を覆う位置に回転した後、第一の容器（１）の上部で発声することにより、装置を身体に装着する事無く音声を耳元に伝達することが出来、本発明を使用している間も両手を自由に使うことが出来る。【選択図】図１
2015038523.tif 000002
【特許請求の範囲】
【請求項１】
自分の音声（自声）を受けるための、底板の周囲に連続して繋がる側板を有する第一の容器と、第一の容器で受けた音声を自分の耳元に伝達するための、前記第一の容器の左右に配置された、底板の周囲に連続して繋がる側板を有する第二の容器からなり、前記第二の容器は、前記第一の容器に対し軸着され、尚且つ、前記第一の容器は台座に立設された支柱に固定されていることを特徴とする、自分の音声（自声）を自分の耳元に伝達する装置。
【請求項２】
台座に立設された支柱に、底板と側板から成る容器を軸着する為の基板を左右に有する基部が固定され、前記容器を軸着するための基板に自分の音声（自声）を受け且つ、その音声を自分の耳元に伝達するための底板の周囲に連続して繋がる側板を有する容器が軸着されて成る、自分の音声（自声）を自分の耳元に伝達する装置。
【請求項３】
台座に立設された支柱に固定された、自分の音声（自声）を受けるための、底板の周囲に連続して繋がる側板を有する容器で自分の音声（自声）を受け、前記容器の一側方において、その音声を自分の耳元に伝達するための底板の周囲に連続して繋がる側板を有する容器が軸着されてなる、自分の音声（自声）を自分の耳元に伝達する装置。
【発明の詳細な説明】
【技術分野】
【０００１】  本発明は、自分の音声（自声）を反射・伝達する為の装置を身体に装着せずに、自分の音声（自声）を自分の耳元に伝達し、尚且つ装置を使用している間も、両手を自由に使うことが出来る装置に関するものである。
【背景技術】
【０００２】  従来は、自声を耳に伝えるには、自声を口の前面で反射し、反射した音声を頭部に装着したヘッドホーン型の音声を伝達する装置に伝達し、音声を耳に伝えるとか、自声を反射する自声反射部・音声伝達部・耳カバーが一体となったものを、締結具を使用して頭部に固定して音声を耳に伝達する案（例えば、特許文献１参照）、中空な音声伝達部の先端を耳当て部にして、両方の耳を挟んで音声を耳に伝達する案（例えば、特許文献２参照）、それぞれが底板及び非接続側に側板をもつ一連の集音部・導音部・放音部から成り、音声を耳元に伝達する携帯型案（例えば、特許文献３参照）が提案されている。
【先行技術文献】
【特許文献】
【０００３】
【特許文献１】特開２００３−１０７９８８
【特許文献２】実開平６−５４０６３
【特許文献３】特開平０３−０５４５９９
【発明の概要】
【発明が解決しようとする課題】
【０００４】  以上に述べた従来の、自声を耳に伝達する装置では、使用している間、常に装着感を強く感じる、音声伝達装置内部の清掃が難しく不衛生になる、片手で装置を持つ必要がある為、使用している間は他方の片手しか自由が利かないというという問題点があった。【０００５】  本発明は、これらの問題を解決するためになされたものである。
【課題を解決するための手段】
【０００６】  請求項１の自声を耳元に伝達する装置を図１〜３に示す。
自声を受けるための、底板の周囲に連続して繋がる側板を有する第一の容器（１）の左右に、その音声を自分の耳元に伝達するための、底板の周囲に連続して繋がる側板を有する第二の容器（２）を第一の容器（１）に対し軸着し、台座（３）に立設した支柱（４）に第二の容器が左右に軸着して成る第一の容器（１）を固定する。【０００７】  本発明はこの様に構成され、卓上に置いて使用し、第一の容器（１）の左右に軸着された第二の容器（２）を、軸着部の軸を基点に左右の耳を覆う位置に回転し、第一の容器（１）の上部で発声する。【０００８】  こうして自声を第一の容器（１）で受け、第一の容器（１）で受けた音声を、軸着部の軸を基点に回転し、左右の耳を覆う位置に在る第二の容器（２）に伝達し、左右の耳元に音声を伝達する。【０００９】  この様にして第二の容器（２）が左右に軸着されて成る第一の容器（１）を台座（３）に立設された支柱（４）に固定することにより、第一の容器（１）及び第二の容器（２）を手で持つこと無く、又体の一部を圧迫すること無く、第一の容器（１）で受けた音声を第二の容器（２）に伝達し、左右の耳元に伝達することが出来、本発明を使用している間も両手を自由に使うことが出来る。【００１０】  請求項２の自声を耳元に伝達する装置を図５に示す。
台座（３）に立設された支柱（４）に、耳元に音声を伝達するための底板と側板から成る容器を軸着する為の基板（５）を左右に有する基部（１ｂ）が固定され、容器を軸着するための前記基板（５）に、自声を受け且つ，音声を耳元に伝達する為の底板の周囲に連続して繋がる側板を有する容器（２ｂ）が軸着されている。【００１１】  この自声を耳元に伝達する装置は、自声を受け且つ，音声を耳元に伝達すための容器（２ｂ）が、自声を直接受け、その音声を耳元に伝達することを特徴とするものである。【００１２】  請求項３の自声を耳元に伝達する装置を、図６に示す。
台座（３）に立設された支柱（４）に固定された、自声を受ける為の底板の周囲に連続して繋がる側板を有する容器（１ｃ）で自声を受け、前記（１ｃ）の一側方において、音声を耳元に伝達する為の底板の周囲に連続して繋がる側板を有する容器（２ｃ）が軸着されていることを特徴とするものである。【００１３】  この自声を耳元に伝達する装置は、自声を受けるための容器（１ｃ）の一側方で、容器（１ｃ）で受けた音声を耳元に音声を伝達する為の容器（２ｃ）に伝達し、音声を耳元に伝達する。容器（１ｃ）の他方の短部は上方に立ち上がっており、自声が側方に漏れるのを防いでいる。
【発明の効果】
【００１４】  本発明はこのように構成され、自声を受けるための第一の容器（１）、音声を耳元に伝達するための第二の容器（２）を身体に装着せずに、自声を左右の耳元に伝達する為、装着感から開放され、耳元に伝達される音声を装着感の無い自然な状態で左右の耳から受け入れることが出来る。【００１５】  音声を耳元に伝達する為の第二の容器（２）が左右に軸着されて成る第一の容器（１）を台座（３）に立設された支柱（４）に固定することにより、第一の容器（１）及び第二の容器（２）を手で持つこと無く、又体の一部を圧迫すること無く第一の容器（１）で受けた音声を第二の容器（２）に伝達し、左右の耳元に伝達することが出来る為、本発明を使用している間も両手を自由に使うことが出来、学習の補助装置として使用する場合など、片方の手で本のページを捲り、他方の手でノートに記帳するといった様に両手を自由に使う事が出来る。更に第一の容器（１）下には、自由に使える空間とスペースが出来る。【００１６】    第二の容器（２）が軸着されて成る第一の容器（１）を、台座（３）に立設された支柱（４）に固定することにより、第一の容器（１）及び第二の容器（２）を手で持つこと無く、又体の一部に触れること無く第一の容器（１）で受けた音声を第二の容器（２）に伝達し、左右の耳元に伝達することが出来る為、第一の容器（１）及び第二の容器（２）の形状を変えても本発明の使用及び効果に影響が無い。その為容器（１）及び容器（２）の形状を自由にデザインすることが出来る。図４に示す装置はその一例である。【００１７】  自声を受けるための第一の容器（１）及び、音声を耳元に伝達するための第二の容器（２）が主に音声を受ける底板，主に音声を伝達する底板に繋がった連続した側板を持つ容器の形状をしている為、周囲に拡散しようとする音声を反射し、伝達する音声を増幅して耳元に伝達する。【００１８】  音声を耳元に伝達するための第二の容器（２）を、第一の容器（１）に軸着した軸着部の軸を基点に耳を覆う位置に回転させる際、耳までの距離を調整することにより、各自が自分に合せた第二の容器（２）の位置調整及び、耳元に届く音量の強弱を自由に調整することが出来、容器（１）が台座（３）に立設された支柱（４）に固定されている為、前記調整が容易に出来、尚且つ調整された位置を継続することが出来る。【００１９】  自声を受ける為の第一の容器（１）が台座（３）に立設された支柱（４）に固定されている為、第一の容器（１）で自声を受けるには背筋を伸ばし、第一の容器（１）の上部で発声する必要があり、本発明を使用する為に背筋を伸ばして本発明の前に着座すると言うふうに姿勢矯正補助具としての効果もある。【００２０】  自声を受けるための第一の容器（１）、及び音声を耳元に伝達するための第二の容器（２）を底板の周囲に連続して繋がる側板を有する容器にすることにより、形が変形しにくく、容器全体を厚みの薄い均一な素材で作れ、薄く作れることにより軽くなり、軸着部への負担の軽減及び、台座（３）及び支柱（４）も軽量化することが出来る。【００２１】  自声を受けるための第一の容器（１）及び、音声を耳元に伝達するための第二の容器（２）を底板と側板から成る容器とすることにより、清掃が容易に出来、衛生上の問題もない。
【図面の簡単な説明】
【００２２】
【図１】本発明の一例を示す斜視図
【図２】本発明図１の正面図
【図３】本発明図２におけるＩ−Ｉ線断面図
【図４】本発明の他の実施例を示す斜視図
【図５】本発明の更に他の実施例を示す斜視図
【図６】本発明の更に他の実施例を示す斜視図
【図７】本発明の軸着部を、軸棒と磁石で構成した軸着部部分拡大斜視図
【図８】本発明図７におけるＩＩ−ＩＩ線断面図
【図９】本発明の軸着部を、側板断面の一部を凹凸とすることで構成した軸着部部分拡大斜視図
【図１０】本発明図９におけるＩＩＩ−ＩＩＩ線断面図
【図１１】本発明の使用イメージ図
【発明を実施するための形態】
【００２３】  自声を受けるための底板の周囲に連続して繋がる側板を有する第一の容器（１）の左右に、第一の容器（１）で受けた音声を自分の耳元に伝達するための底板の周囲に連続して繋がる側板を有する第二の容器（２）を、第二の容器（２）が第一の容器（１）と軸着した軸を基点に回転出来るように、第一の容器（１）と第二の容器（２）を端部で重ね合わせ、重ね合った側板（Ｃ）・（Ｄ）同士を軸着する。
【００２４】  このようにして第二の容器（２）が左右に軸着して成る第一の容器（１）を、台座（３）に立設した保持力のあるフレキシブルチューブからなる支柱（４）に第一の容器（１）を固定する。
【００２５】  本発明はこのように構成され、自声を受けるための第一の容器（１）に軸着された、音声を耳元に伝達するための第二の容器（２）を軸着部の軸を基点に耳を覆う位置に回転した状態で、自声を受けるための第一の容器（１）の上部で発声する。
【００２６】  このようにして自声を受けるための第一の容器（１）で受けた音声を、第一の容器（１）の左右に軸着され、軸着部の軸を基点に回転し、耳を覆う位置に在る音声を耳元に伝達するための第二の容器（２）に音声を伝達し、左右の耳元に伝達する。
【００２７】  軸着の方法として図１で示すように第一の容器（１），第二の容器（２）の重なり合う側板（Ｃ）・（Ｄ）同士をボルト（Ｅ）とナット（Ｆ）を使って軸着する。
【００２８】  他の軸着方法として図７で示すように、重なり合う側板（Ｃ），（Ｄ）に孔を開けて軸棒（Ｇ）を通し、軸棒より大きな孔を有する磁石（Ｈ）に前記軸棒（Ｇ）を通し、重なり合う側板（Ｃ），（Ｄ）を両側から磁石（Ｈ）にて挟み磁着しても、本発明における軸着としての機能を満たすことが出来る。
【００２９】  更に他の軸着方法として図９で示すように、第一の容器（１），第二の容器（２）の重なり合う側板（Ｃ），（Ｄ）の断面の一部を円錐形の凸形状（Ｉ）、他方の容器断面の一部を、前記円錐形の凸部が挿入出来る大きさの円錐形の凹形状（Ｊ）とし、凸部面（Ｉ）を凹部面（Ｊ）に挿入し、お互いの凹凸部を重ね合わせても、本発明における軸着としての機能を満たすことが出来る。
【００３０】  台座（３）を吸着吸盤とし、本発明装置を置いて使用する卓上面に吸着吸盤を吸着して使用しても良い。
【００３１】  図４に示すように自声を受けるための第一の容器（１ａ）及び、音声を耳元に伝達するための第二の容器（２ａ）の形状を、矩形以外の形状にしても同じ効果が得られる。
【００３２】  図５に示すように自声を直接、音声を耳元に伝達するための第二の容器（２ｂ）の一部面で受けて、音声を耳元に伝達しても同じ効果が得られる。
【００３３】  図６に示すように台座に立設された支柱に自声を受ける為の第一の容器（１ｃ）を固定し、音声を耳元に伝達するための第二の容器（２）を第一の容器（１ｃ）の一側方だけに軸着しても同じ効果を得ることができる。
【００３４】  図１は、本発明による音声を耳元に伝達する装置の請求項１実施の斜視図である。
【００３５】  図２は、図１の正面図である。
【００３６】  図３は、図２におけるＩ−Ｉ線断面図である。
【００３７】  図４は本発明の第一の容器（１），第二の容器（２）の形状を自由なデザイン形状とした斜視図である。
【００３８】  図５は本発明による音声を耳元に伝達する装置の請求項２の実施例の斜視図である。
【００３９】  台座（３）に立設された保持力のあるフレキシブルチューブからなる支柱（４）に、容器を軸着するための基板（５）を有する基部（１ｂ）が固定され、前記容器を軸着するための基板（５）に、自声を受け且つ，音声を耳元に伝達するための容器（２ｂ）が軸着され、自声を容器（２ｂ）で受け且つ、音声を耳元に伝達する。
【００４０】  図６は本発明による自声を伝達する装置の請求項３実施例の斜視図である。
台座（３）に立設された保持力のあるフレキシブルチューブからなる支柱（４）に固定された、自声を受けるための容器（１ｃ）で自声を受け、前記容器（１ｃ）の一側方において、音声を耳元に伝達する為の容器（２ｃ）が軸着されて音声を耳元に伝達する。
【符号の説明】
【００４１】１，１ａ，１ｃ    自声を受けるための底板の周囲に連続して繋がる側板を有する容器
１ｂ    底板と側板から成る容器を軸着するための基板を両側面に有する基部
２，２ａ，２ｂ，２ｃ    音声を耳元に伝達するための底板の周囲に連続して繋がる側板を有する容器
３  台座    ４  支柱
５    底板と側板から成る容器を軸着するための基板
Ａ，Ａａ，Ａｃ    自声を主に受ける底板
Ｂ，Ｂａ，Ｂｂ    音声を主に伝達する底板
Ｃ，Ｃａ，Ｃｃ    自声を受けるための底板の周囲に連続して繋がる側板
Ｄ，Ｄａ，Ｄｂ，Ｄｃ    音声を伝達するための底板の周囲に連続して繋がる側板
Ｅ  ボルト    Ｆ  ナット    Ｇ  軸棒    Ｈ  磁石
Ｉ  円錐形の凸形状部    Ｊ  円錐形の凹形状部
【図１】
2015038523.tif 000003
【図２】
2015038523.tif 000004
【図３】
2015038523.tif 000005
【図４】
2015038523.tif 000006
【図５】
2015038523.tif 000007
【図６】
2015038523.tif 000008
【図７】
2015038523.tif 000009
【図８】
2015038523.tif 000010
【図９】
2015038523.tif 000011
【図１０】
2015038523.tif 000012
【図１１】
2015038523.tif 000013
【手続補正書】
【提出日】平成23年3月4日(2011.3.4)
【手続補正１】
【補正対象書類名】明細書
【補正対象項目名】００１５
【補正方法】変更
【補正の内容】
【００１５】  自声を受けるための第一の容器（１）及び、音声を耳元に伝達するための第二の容器（２）が主に自声を受ける底板，主に音声を伝達する底板に繋がった連続した側板を持つ容器の形状をしている為、周囲に拡散しようとする音声を反射し、伝達する音声を増幅して左右の耳元に伝達する。
【手続補正２】
【補正対象書類名】明細書
【補正対象項目名】００１６
【補正方法】変更
【補正の内容】
【００１６】  音声を耳元に伝達する為の第二の容器（２）が左右に軸着されて成る自声を受ける為の第一の容器（１）を台座（３）に立設された支柱（４）に固定することにより、第一の容器（１）及び第二の容器（２）を手で持つこと無く、又体に装着すること無く第一の容器（１）で受けた自声を第二の容器（２）に伝達し、左右の耳元に伝達することが出来る為、本発明を使用している間も両手を自由に使うことが出来、学習の補助装置として使用する場合、片方の手の指先で文章をなぞり、他方の手でノートに記帳するといった様に本発明を使いながら両手を自由に使う事が出来る為、学習効果を向上させる事が出来る。
【手続補正３】
【補正対象書類名】明細書
【補正対象項目名】００１７
【補正方法】変更
【補正の内容】
【００１７】  第二の容器（２）が軸着されて成る第一の容器（１）を、台座（３）に立設された支柱（４）に固定することにより、第一の容器（１）及び第二の容器（２）を手で持つこと無く、又体に装着すること無く第一の容器（１）で受けた自声を第二の容器（２）に伝達し、左右の耳元に伝達することが出来る為、第一の容器（１）及び第二の容器（２）の形状のデザインを変えても本発明の使用に影響が無い。その為容器（１）及び容器（２）の形状について色々なデザインを提案することが出来る。図４に示す装置はその一例である。